(57)【要約】  光伝送装置は、終端装置が上り信号を送信するために必要な帯域を示す帯域要求情報を記憶部から周期的に読み出し、読み出した帯域要求情報に基づいて終端装置に帯域を割り当てる帯域割当部と、帯域要求情報の生成に用いられるリソース情報を上位装置から受信したタイミングに基づいて、帯域割当部が記憶部から帯域要求情報を読み出す周期を調整するタイミング調整部と、を備える。
2017221874.tif 000002
【特許請求の範囲】
【請求項１】
終端装置が上り信号を送信するために必要な帯域を示す帯域要求情報を記憶部から周期的に読み出し、読み出した前記帯域要求情報に基づいて前記終端装置に帯域を割り当てる帯域割当部と、
前記帯域要求情報の生成に用いられるリソース情報を上位装置から受信したタイミングに基づいて、前記帯域割当部が前記記憶部から前記帯域要求情報を読み出す周期を調整するタイミング調整部と、
を備える光伝送装置。
【請求項２】
前記タイミング調整部は、前記リソース情報に基づいた前記帯域要求情報を前記記憶部が記憶した時刻と、前記帯域割当部が前記記憶部から前記帯域要求情報を読み出す時刻との差分時間を前記帯域割当部に通知し、前記差分時間に基づいて前記帯域割当部に前記周期を調整させる、
請求項１に記載の光伝送装置。
【請求項３】
前記タイミング調整部は、前記リソース情報を受信した時刻に、前記リソース情報に基づいた前記帯域要求情報を前記記憶部に記憶させるまでに要する時間を加えた時刻を前記帯域割当部に通知し、通知した時刻に基づいて前記帯域割当部に前記周期を調整させる、
請求項１に記載の光伝送装置。
【請求項４】
前記タイミング調整部は、前記差分時間が所定の閾値以上である場合に前記差分時間を前記帯域割当部に通知し、前記差分時間が前記閾値より小さい場合に前記差分時間を前記帯域割当部に通知しない、
請求項２に記載の光伝送装置。
【請求項５】
終端装置が上り信号を送信するために必要な帯域を示す帯域要求情報を記憶部から周期的に読み出し、読み出した前記帯域要求情報に基づいて前記終端装置に帯域を割り当てる帯域割当ステップと、
前記帯域要求情報の生成に用いられるリソース情報を上位装置から受信したタイミングに基づいて、前記帯域割当ステップにおける前記記憶部から前記帯域要求情報を読み出す周期を調整するタイミング調整ステップと、
を有する帯域割当方法。
【発明の詳細な説明】
【技術分野】
【０００１】
本発明は、光伝送技術に関する。
【背景技術】
【０００２】
現在広く商用化提供されているＴＤＭ（Time Division Multiplexing）−ＰＯＮ（Passive Optical Network）方式の受動光通信網では、終端装置（ＯＮＵ：Optical Network Unit）は、下位装置からの上り信号を受信するとともに、上り信号を送信するために必要な帯域情報（ＲＥＰＯＲＴ）を示す信号（以下「ＲＥＰＯＲＴ信号」という）を端局装置（ＯＬＴ：Optical Line Terminal）に送信する。終端装置及び端局装置は、光加入者線終端装置及び光加入者線端局装置とも呼ばれる。ＲＥＰＯＲＴ信号を受信した端局装置は、他の終端装置からも同様に受信したＲＥＰＯＲＴ信号や、端局装置−終端装置間のレンジング情報（伝送時間）等を考慮し、送信帯域及び送信時刻に関する情報（ＧＡＴＥ）を示す信号（以下「ＧＡＴＥ信号」という。）を終端装置に送信する。終端装置は、ＧＡＴＥ信号に基づいて上り信号を送信する。このため、上り信号の送信には、ＲＥＰＯＲＴ信号及びＧＡＴＥ信号のやりとりによる遅延が発生する。【０００３】
この遅延は、モバイル通信網をＴＤＭ−ＰＯＮ方式のシステムに収容する場合に要求される低遅延化のボトルネックとなる。この問題を解決するために非特許文献１で提案されるように、上位装置を通じて下位装置に送信されるリソース情報を、端局装置があらかじめ受信する。端局装置は、リソース情報を用いて、下位装置から終端装置へ送信される上り信号の到着タイミングに合わせて、ＧＡＴＥ信号を終端装置へ通知する。これにより、ＲＥＰＯＲＴ信号及びＧＡＴＥ信号のやりとりによる遅延が削減されるため、低遅延化が期待できる。
【先行技術文献】
【非特許文献】
【０００４】
【非特許文献１】T.Tashiro,et al.,“A Novel DBA Scheme for TDM-PON based Mobile Fronthaul,”Tu3F.3 OFC 2014.
【発明の概要】
【発明が解決しようとする課題】
【０００５】
しかしながら、非特許文献１で提案される方法には、終端装置に通知するＧＡＴＥ信号を生成するために使用する、計算・登録されたリソース情報を読み出すタイミングが考慮されていないため、終端装置への帯域割り当てに新たなリソース情報が反映されるまでに待ち時間（遅延時間）が生じるという問題があった。【０００６】
上記事情に鑑み、本発明は、上位装置から送信されるリソース情報が終端装置への帯域割り当てに反映されるまでの待ち時間を削減できる技術を提供することを目的としている。
【課題を解決するための手段】
【０００７】
本発明の第１の態様における光伝送装置は、例えば端局装置である。光伝送装置は、終端装置が上り信号を送信するために必要な帯域を示す帯域要求情報を記憶部から周期的に読み出し、読み出した前記帯域要求情報に基づいて前記終端装置に帯域を割り当てる帯域割当部と、前記帯域要求情報の生成に用いられるリソース情報を上位装置から受信したタイミングに基づいて、前記帯域割当部が前記記憶部から前記帯域要求情報を読み出す周期を調整するタイミング調整部と、を備える。【０００８】
本発明の第２の態様によれば、上記の第１の態様の光伝送装置において、前記タイミング調整部は、前記リソース情報に基づいた前記帯域要求情報を前記記憶部が記憶した時刻と、前記帯域割当部が前記記憶部から前記帯域要求情報を読み出す時刻との差分時間を前記帯域割当部に通知し、前記差分時間に基づいて前記帯域割当部に前記周期を調整させる。【０００９】
本発明の第３の態様によれば、上記の第１の態様の光伝送装置において、前記タイミング調整部は、前記リソース情報を受信した時刻に、前記リソース情報に基づいた前記帯域要求情報を前記記憶部に記憶させるまでに要する時間を加えた時刻を前記帯域割当部に通知し、通知した時刻に基づいて前記帯域割当部に前記周期を調整させる。【００１０】
本発明の第４の態様によれば、上記の第２の態様の光伝送装置において、前記タイミング調整部は、前記差分時間が所定の閾値以上である場合に前記差分時間を前記帯域割当部に通知し、前記差分時間が前記閾値より小さい場合に前記差分時間を前記帯域割当部に通知しない。【００１１】
本発明の第５の態様の帯域割当方法は、終端装置が上り信号を送信するために必要な帯域を示す帯域要求情報を記憶部から周期的に読み出し、読み出した前記帯域要求情報に基づいて前記終端装置に帯域を割り当てる帯域割当ステップと、前記帯域要求情報の生成に用いられるリソース情報を上位装置から受信したタイミングに基づいて、前記帯域割当ステップにおける前記記憶部から前記帯域要求情報を読み出す周期を調整するタイミング調整ステップと、を有する。
【発明の効果】
【００１２】
本発明により、上位装置から送信されるリソース情報が終端装置への帯域割り当てに反映されるまでの待ち時間を削減することが可能となる。
【図面の簡単な説明】
【００１３】
【図１】第一の実施形態における光伝送装置の構成を表す構成図である。
【図２】第一の実施形態における光伝送装置の具体的な処理例を示す概略図である。
【図３】第一の実施形態における読み出し周期補正処理を示すフローチャートである。
【図４】従来の光伝送装置の低遅延化を実現する方法を示す概略図である。
【図５】第二の実施形態における光伝送装置の構成を表す構成図である。
【図６】第二の実施形態における光伝送装置の具体的な処理例を示す概略図である。
【図７】第二の実施形態における読み出し周期補正処理を示すフローチャートである。
【発明を実施するための形態】
【００１４】
（第一の実施形態）
図１は、第一の実施形態における光伝送装置１０の構成を表す構成図である。光伝送装置１０は、光通信網を経由する光信号によって他の通信装置との通信を実現する装置である。光伝送装置１０が接続される光通信網は、例えばＰＯＮ等の受動光通信網である。受動光通信網では、光伝送装置１０は端局装置として用いられる。モバイル通信網を受動光通信網に収容する場合、光伝送装置１０は、モバイル通信網に接続された局舎に設置される。光伝送装置１０は、局舎に設置される上位装置２０と、モバイル通信網の無線局に設置される終端装置３０とに接続される。光伝送装置１０は、リソース情報受信部１０１、情報加工部１０２、リソース情報記憶部１０３、帯域割当部１０４、送受信部１０５及びタイミング調整部１０６を備える。
【００１５】
リソース情報受信部１０１は、ネットワークインタフェースである。リソース情報受信部１０１は、光伝送装置１０に接続される上位装置２０から、リソース情報４１を受信する。リソース情報受信部１０１は、受信したリソース情報４１を情報加工部１０２へ通知する。リソース情報４１は、上位装置２０から所定の周期で送信される情報であり、ＧＡＴＥ信号の生成に必要となる情報である。ＧＡＴＥ信号は、データ信号及び制御信号に割り当てられた帯域を終端装置３０へ通知するための信号である。光伝送装置１０は、上り信号のデータ信号に割り当てる帯域を表す情報（以下「帯域割当情報」という。）を決定する。光伝送装置１０は、帯域割当情報をＧＡＴＥ信号に含める。光伝送装置１０は、ＧＡＴＥ信号を終端装置３０に送信する。
【００１６】
情報加工部１０２は、リソース情報４１を用いて帯域割当部１０４が読み出すことができる情報（以下「ＲＥＰＯＲＴ情報４２」とする。）を生成する。ＲＥＰＯＲＴ情報４２は、終端装置３０がバッファリングしているデータ量を示す情報であり、バッファリングされているデータを上り信号で送信する際に必要な帯域の割り当てを帯域割当部１０４に要求する帯域要求情報である。ＲＥＰＯＲＴ情報４２は、終端装置３０がバッファリングしている上り信号のデータ量を光伝送装置１０に通知するＲＥＰＯＲＴ信号で示される帯域情報に相当する。情報加工部１０２は、ＲＥＰＯＲＴ情報４２をリソース情報記憶部１０３に登録する。情報加工部１０２は、ＲＥＰＯＲＴ情報４２をリソース情報記憶部１０３に登録した時刻Ｔ１をタイミング調整部１０６へ通知する。
【００１７】
リソース情報記憶部１０３は、磁気ハードディスク装置や半導体記憶装置等の記憶装置を用いて構成される。リソース情報記憶部１０３は、ＲＥＰＯＲＴ情報４２を記憶する。
【００１８】
帯域割当部１０４は、リソース情報記憶部１０３に記憶されるＲＥＰＯＲＴ情報４２を所定の読み出し周期５１で取得する。所定の読み出し周期５１は、例えば、所定の時間（第一の実施形態の場合は、２５０μｓ）毎であってもよいし、他の周期を用いてもよい。帯域割当部１０４は、ＲＥＰＯＲＴ情報４２を用いて、終端装置３０への送信帯域と送信時刻とを決定する。帯域割当部１０４は、決定した送信帯域と送信時刻とを示す帯域割当情報を終端装置３０へ送受信部１０５に送信させる。帯域割当部１０４は、タイミング調整部１０６から通知を受けた補正時間に基づいて、読み出し周期５１の補正処理を実行する。補正時間に基づいた読み出し周期５１の補正では、帯域割当部１０４は、読み出し周期５１を変更せずにＲＥＰＯＲＴ情報４２の読み出し時刻を変更する。すなわち、帯域割当部１０４は、読み出し周期５１を補正時間分ずらすことにより、補正を行う。
【００１９】
送受信部１０５は、ネットワークインタフェースである。送受信部１０５は、帯域割当部１０４からの指示に基づいて帯域割当情報を含むＧＡＴＥ信号を終端装置３０へ送信する。
【００２０】
タイミング調整部１０６は、帯域割当部１０４がＲＥＰＯＲＴ情報４２の読み出しを実行する周期に対する補正時間を決定する。具体的には、タイミング調整部１０６は、情報加工部１０２から通知を受けた時刻Ｔ１の直後に帯域割当部１０４がＲＥＰＯＲＴ情報４２の読み出しを実行する時刻Ｔ２を特定する。タイミング調整部１０６は、時刻Ｔ１と時刻Ｔ２との差分時間δ（＝Ｔ２−Ｔ１）を算出する。タイミング調整部１０６は、差分時間δを補正時間として帯域割当部１０４へ通知する。タイミング調整部１０６は、帯域割当部１０４における読み出し周期５１と前回の読み出し時刻とから、時刻Ｔ２を特定してもよい。
【００２１】
上位装置２０は、光伝送装置１０が接続される光通信網において光伝送装置１０の上位側に配置される装置である。上位装置２０は、上位ネットワークに接続される。上位装置２０と光伝送装置１０とは一対一に接続される。
【００２２】
終端装置３０は、光伝送装置１０が接続される光通信網において光伝送装置１０の下位側に配置される装置である。終端装置３０は、上位装置２０と下位装置との間に位置する光通信網を終端する装置である。一つ又は複数の終端装置３０は、光スプリッタを介して光伝送装置１０と接続する。
【００２３】
図２は、第一の実施形態における光伝送装置１０の具体的な処理例を示す概略図である。光伝送装置１０は、リソース情報４１を１ｍｓ毎に受信する。光伝送装置１０は、リソース情報４１を受信する毎に、リソース情報４１からＲＥＰＯＲＴ情報４２を生成し、ＲＥＰＯＲＴ情報４２を記憶する。光伝送装置１０は、ＧＡＴＥ信号を生成するために、ＲＥＰＯＲＴ情報４２を読み出し周期５１毎に読み出す。光伝送装置１０は、ＲＥＰＯＲＴ情報４２が生成されてから、ＲＥＰＯＲＴ情報４２が読み出されるまでの待ち時間を削減するために、読み出し周期５１の補正処理を行う。補正処理は、差分時間δを用いて行われる。光伝送装置１０は、補正処理により、次のリソース情報４１に基づいたＲＥＰＯＲＴ情報４２が登録されるタイミングと、ＲＥＰＯＲＴ情報４２が読み出されるタイミングとを揃えるので、待ち時間を削減できる。
【００２４】
図３は、第一の実施形態における読み出し周期補正処理を示すフローチャートである。リソース情報受信部１０１は、上位装置２０から受信したリソース情報４１を情報加工部１０２へ通知する（ステップＳ１０１）。
【００２５】
情報加工部１０２は、リソース情報４１を用いてＲＥＰＯＲＴ情報４２を生成する（ステップＳ１０２）。情報加工部１０２は、ＲＥＰＯＲＴ情報４２をリソース情報記憶部１０３に登録する（ステップＳ１０３）。情報加工部１０２は、ＲＥＰＯＲＴ情報４２をリソース情報記憶部１０３に登録した時刻Ｔ１をタイミング調整部１０６へ通知する（ステップＳ１０４）。
【００２６】
タイミング調整部１０６は、時刻Ｔ１の直後に帯域割当部１０４がＲＥＰＯＲＴ情報４２の読み出しを実行する時刻Ｔ２を特定する（ステップＳ１０５）。タイミング調整部１０６は、時刻Ｔ２と時刻Ｔ１との差分時間δを算出する（ステップＳ１０６）。タイミング調整部１０６は、差分時間δが０か否か判定する（ステップＳ１０７）。
【００２７】
差分時間δが０ではない場合（ステップＳ１０７−ＹＥＳ）、タイミング調整部１０６は、差分時間δを補正時間として帯域割当部１０４へ通知する。帯域割当部１０４は、補正時間に基づいて読み出し周期５１の補正処理を実行する（ステップＳ１０８）。帯域割当部１０４は、差分時間δの値だけＲＥＰＯＲＴ情報４２の読み出し時刻を前倒しする補正処理を実行することで、情報加工部１０２がＲＥＰＯＲＴ情報４２をリソース情報記憶部１０３に登録する時刻と、帯域割当部１０４がＲＥＰＯＲＴ情報４２の読み出しを実行する時刻とを一致させる。
【００２８】
一方、差分時間δが０であった場合（ステップＳ１０７−ＮＯ）、タイミング調整部１０６は、処理を終了する。なお、タイミング調整部１０６は、帯域割当部１０４へ、差分時間δが０であった旨を通知してもよい。
【００２９】
（効果）
図４は、従来の光伝送装置の低遅延化を実現する方法を示す概略図である。従来の光伝送装置は、リソース情報４１を１ｍｓ毎に受信し、一定の読み出し周期５１（２５０μｓ）に従ってＲＥＰＯＲＴ情報４２の読み出しを実行していた。従来の光伝送装置は、ＲＥＰＯＲＴ情報４２の登録のタイミングと読み出しのタイミングとのずれを考慮していないため、ＲＥＰＯＲＴ情報４２の登録から読み出しまでに（Ｔ２−Ｔ１）の遅延（待ち時間）が発生していた。一方で、図２に示したように、第一の実施形態の光伝送装置１０は、差分時間δに基づいて、読み出し周期５１の補正処理を実行する。光伝送装置１０は、補正処理を実行することによって、ＲＥＰＯＲＴ情報４２の登録と読み出しとのタイミングを一致させることができる。すなわち、光伝送装置１０によれば、ＲＥＰＯＲＴ情報４２の登録から読み出しまでの待ち時間の削減が可能となる。
【００３０】
（変形例）
帯域割当部１０４は、差分時間δにマージン時間αを加算してもよい。差分時間δにマージン時間αを加えることで、リソース情報４１が上位装置２０からリソース情報受信部１０１に到着する時間、リソース情報４１を受信する時間、情報加工部１０２がＲＥＰＯＲＴ情報４２を生成する時間及びＲＥＰＯＲＴ情報４２をリソース情報記憶部１０３に登録する時間に変動があった場合でも、読み出し周期５１の補正処理を実行することができる。このように構成された光伝送装置１０では、リソース情報４１が到着する都度、ステップＳ１０１〜ステップＳ１０８までの処理を実行しなくてもよい。マージン時間αは、例えば、上位装置２０から光伝送装置１０への伝送路における遅延時間と、光伝送装置１０内における信号処理に要する処理時間とに基づいて定められる。マージン時間αは、遅延時間及び処理時間の分散に基づいて定められてもよい。マージン時間αを加えて補正することにより、ＲＥＰＯＲＴ情報４２が読み出し可能になるまでに要する時間のゆらぎに対応した補正を帯域割当部１０４が行える。
【００３１】
別の変形例では、タイミング調整部１０６は、差分時間δの値が所定の閾値より小さい場合は、差分時間δ＝０の場合と同様に、処理を終了してもよい。所定の閾値は、例えば、光伝送装置１０における差分時間δに基づいた遅延の削減時間が読み出し周期５１の補正に要する時間より小さい場合の差分時間δにより定められる。あるいは、差分時間δに対する閾値は、例えば、リソース情報受信部１０１、情報加工部１０２、帯域割当部１０４及びタイミング調整部１０６を構成するデジタル回路（プロセッサを含んでいてもよい）における動作周波数、又は光伝送装置１０に備えられるタイマの精度等に基づいて定められる。差分時間δが閾値より小さい場合に、帯域割当部１０４に読み出し周期５１の調整を行わせない制御を行うことにより、帯域割当部１０４の負荷を軽減させることができる。また、読み出し周期５１の調整に対して過度の精度を要求しないことにより、光伝送装置１０の設計及び実装を容易にできる。なお、タイミング調整部１０６は、差分時間δにマージン時間αを加算した加算結果と閾値とを比較し、比較結果に応じて読み出し周期５１の調整を行うか否かを決定してもよい。
【００３２】
（第二の実施形態）
図５は、第二の実施形態における光伝送装置１０ａの構成を表す構成図である。光伝送装置１０ａは、リソース情報受信部１０１に代えてリソース情報受信部１０１ａを備える点と、タイミング調整部１０６に代えてタイミング調整部１０６ａを備える点とで、第一の実施形態における光伝送装置１０と異なり、そのほかの点では光伝送装置１０と同じ構成である。
【００３３】
リソース情報受信部１０１ａは、ネットワークインタフェースである。リソース情報受信部１０１ａは、光伝送装置１０ａに接続される上位装置２０から、リソース情報４１を受信する。リソース情報受信部１０１ａは、リソース情報４１を受信完了した時刻Ｔ３１をタイミング調整部１０６ａへ通知する。リソース情報受信部１０１ａは、受信したリソース情報４１を情報加工部１０２へ通知する。
【００３４】
タイミング調整部１０６ａは、帯域割当部１０４がＲＥＰＯＲＴ情報４２の読み出しを実行する時刻Ｔ６１を決定する。具体的には、情報加工部１０２によるＲＥＰＯＲＴ情報４２の生成に要する時間と、リソース情報記憶部１０３によるＲＥＰＯＲＴ情報４２の登録に要する時間βと、時刻Ｔ３１とを足し合わせることで、タイミング調整部１０６ａは時刻Ｔ６１を算出する。タイミング調整部１０６ａは、算出した時刻Ｔ６１を、ＲＥＰＯＲＴ情報４２の読み出しを実行する時刻として帯域割当部１０４へ通知する。
【００３５】
図６は、第二の実施形態における光伝送装置１０ａの具体的な処理例を示す概略図である。光伝送装置１０ａは、リソース情報４１を１ｍｓ毎に受信する。光伝送装置１０は、リソース情報４１を受信完了した時刻Ｔ３１と、ＲＥＰＯＲＴ情報４２の生成及び記憶に要する時間とから、ＲＥＰＯＲＴ情報４２が記憶される時刻Ｔ６１を算出する。光伝送装置１０ａは、時刻Ｔ６１を起点とした読み出し周期５１で、ＲＥＰＯＲＴ情報４２の読み出しを実行する。同様に、光伝送装置１０ａは、リソース情報４１を受信完了した時刻Ｔ３２に基づいて時刻Ｔ６２を算出し、時刻Ｔ６２を起点にした読み出し周期５１で、ＲＥＰＯＲＴ情報４２の読み出しを実行する。光伝送装置１０ａは、リソース情報４１を受信完了した時刻Ｔ３１、Ｔ３２に基づいて読み出し周期５１の起点を調整することにより、待ち時間を削減する。
【００３６】
図７は、第二の実施形態における読み出し周期補正処理を示すフローチャートである。リソース情報受信部１０１ａは、上位装置２０から受信したリソース情報４１を情報加工部１０２へ通知する（ステップＳ２０１）。リソース情報受信部１０１ａは、リソース情報４１を受信完了した時刻Ｔ３１をタイミング調整部１０６ａへ通知する（ステップＳ２０２）。
【００３７】
情報加工部１０２は、リソース情報４１を用いてＲＥＰＯＲＴ情報４２を生成する（ステップＳ２０３）。情報加工部１０２は、ＲＥＰＯＲＴ情報４２をリソース情報記憶部１０３に登録する（ステップＳ２０４）。
【００３８】
タイミング調整部１０６ａは、帯域割当部１０４が、ＲＥＰＯＲＴ情報４２の読み出しを実行する時刻Ｔ６１を決定する（ステップＳ２０５）。タイミング調整部１０６ａは、時刻Ｔ６１をＲＥＰＯＲＴ情報４２の読み出しを実行する時刻として帯域割当部１０４へ通知する。帯域割当部１０４は、ＲＥＰＯＲＴ情報４２を読み出す処理を時刻Ｔ６１に実行する（ステップＳ２０６）。帯域割当部１０４は、読み出し周期５１を変更せずに、ＲＥＰＯＲＴ情報４２の読み出しタイミングを時刻Ｔ６１へずらすことにより、読み出し周期５１の補正を行う。すなわち、帯域割当部１０４は、ＲＥＰＯＲＴ情報４２の読み出し周期５１を、時刻Ｔ６１を起点とした読み出し周期５１に変更する。
【００３９】
光伝送装置１０ａは、ステップＳ２０１〜ステップＳ２０６までの処理をリソース情報４１の受信完了毎に実行する。すなわち、光伝送装置１０ａは、次のリソース情報４１の受信完了する時刻Ｔ３１、Ｔ３２から、帯域割当部１０４が、ＲＥＰＯＲＴ情報４２の読み出しを実行する時刻Ｔ６１、Ｔ６２を算出する。
【００４０】
（効果）
第二の実施形態の光伝送装置１０ａでは、上述のように算出される時刻Ｔ６１、Ｔ６２を起点とした読み出し周期５１で、ＲＥＰＯＲＴ情報４２の読み出し処理が実行される。このように構成されることによって、光伝送装置１０ａは、ＲＥＰＯＲＴ情報４２の登録と読み出しとのタイミングを一致させることができる。すなわち、ＲＥＰＯＲＴ情報４２の登録から読み出しまでの待ち時間の削減が可能となる。
【００４１】
（変形例）
時間βの値は、リソース情報４１のフレーム長によって変動する。そのため、リソース情報受信部１０１ａは、受信完了した時刻Ｔ３１、Ｔ３２及びリソース情報４１のフレーム長をタイミング調整部１０６ａに通知してもよい。タイミング調整部１０６ａは、フレーム長に基づいて時間βを決定してもよい。このように構成された光伝送装置１０ａは、リソース情報４１のフレーム長によって帯域割当部１０４によるＲＥＰＯＲＴ情報４２の読み出し時刻を決定でき、更に待ち時間の削減が可能となる。
【００４２】
第１の実施形態において説明した光伝送装置１０は、帯域割当部１０４と、タイミング調整部１０６とを備える。第２の実施形態において説明した光伝送装置１０ａは、帯域割当部１０４と、タイミング調整部１０６ａとを備える。帯域割当部１０４は、モバイル通信網の無線局に設置される終端装置３０が上位装置２０へ上り信号を送信するために必要な帯域を示すＲＥＰＯＲＴ情報４２を、リソース情報記憶部１０３から周期的に読み出す。帯域割当部１０４は、読み出したＲＥＰＯＲＴ情報４２に基づいて終端装置３０に帯域を割り当てる。タイミング調整部１０６、１０６ａは、無線局への無線リソースの割り当てを示すリソース情報４１を上位装置２０から受信したタイミングに基づいて、帯域割当部１０４がリソース情報記憶部１０３からＲＥＰＯＲＴ情報４２を読み出す周期を調整する。リソース情報４１は、ＲＥＰＯＲＴ情報４２を生成する際に用いられる情報である。光伝送装置１０、１０ａでは、帯域割当部１０４によりＲＥＰＯＲＴ情報４２が読み出される周期が、リソース情報４１を受信したタイミングに基づいて調整されるため、新たに受信されたリソース情報４１が終端装置３０への帯域割り当てに反映されるまでの時間を短縮できる。したがって、光伝送装置１０、１０ａは、新たなリソース情報４１に基づいた帯域割り当てを即時に行えるので、モバイル通信網における低遅延化に好適である。
【００４３】
光伝送装置１０、１０ａと終端装置３０とを接続する受動光通信網における帯域の割り当てを示すＲＥＰＯＲＴ情報４２と、モバイル通信網における基地局への無線リソースの割り当てを示すリソース情報４１とは異なる。そのため、リソース情報４１からＲＥＰＯＲＴ情報４２を得て、ＲＥＰＯＲＴ情報４２をリソース情報記憶部１０３へ記憶させるまでには変換及び登録の時間を要する。この変換及び登録の時間に応じて読み出し周期５１を調整するために、タイミング調整部１０６は、リソース情報４１に基づいたＲＥＰＯＲＴ情報４２をリソース情報記憶部１０３が記憶した時刻Ｔ１と、帯域割当部１０４がＲＥＰＯＲＴ情報４２を読み出す時刻Ｔ２との差分時間δを帯域割当部１０４に通知する。帯域割当部１０４が差分時間δに基づいて読み出し周期５１を調整することにより、光伝送装置１０は、新たなリソース情報４１が反映されるまでの待ち時間の削減を高精度に行える。また、タイミング調整部１０６ａは、リソース情報４１を受信した時刻Ｔ３１に、リソース情報４１に基づいたＲＥＰＯＲＴ情報４２がリソース情報記憶部１０３に記憶されるまでに要する時間を加えた時刻Ｔ６１を、帯域割当部１０４に通知する。帯域割当部１０４が通知された時刻Ｔ６１に基づいて読み出し周期５１を調整することにより、光伝送装置１０ａは、新たなリソース情報４１が反映されるまでの待ち時間の削減を高精度に行える。
【００４４】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４５】
本発明は、上位装置から送信されるリソース情報が終端装置への帯域割り当てに反映されるまでに要する時間を削減することが不可欠な用途にも適用できる。
【符号の説明】
【００４６】
１０，１０ａ…光伝送装置，  ２０…上位装置，  ３０…終端装置，  ４１…リソース情報，  ４２…ＲＥＰＯＲＴ情報，  ５１…読み出し周期，  １０１，１０１ａ…リソース情報受信部，  １０２…情報加工部，  １０３…リソース情報記憶部，  １０４…帯域割当部，  １０５…送受信部，  １０６，１０６ａ…タイミング調整部
【図１】
2017221874.tif 000003
【図２】
2017221874.tif 000004
【図３】
2017221874.tif 000005
【図４】
2017221874.tif 000006
【図５】
2017221874.tif 000007
【図６】
2017221874.tif 000008
【図７】
2017221874.tif 000009
【国際調査報告】
2017221874.tif 000010
2017221874.tif 000011
2017221874.tif 000012